(57)【要約】【課題】  本発明は、ＡＴＭ・ＣＤ等の自動機を設置した屋外無人ブースを狙った犯罪行為の減少を目的とするももであり、屋外無人ブースの耐久性を向上し、ブルドーザー等の重機による破壊行為を困難とする。【解決手段】  任意の形状・本数の柱を屋外無人ブースの周囲の地中に埋め、その柱に対しジョイント方式により、他の柱を繋ぎ合わせていくことで、屋外無人ブースの周囲を囲う。柱、ジョイント部の形状は任意とするが、種類を限定する。ジョイントの方向やジョイント数を変えることができる。柱、ジョイント部は補強パネル等を追加できる形状とする。地中に埋める柱は、地中から抜けにくい形状とし、さらに、その形状が地上から容易に想定できるようにする。【選択図】  図１
2005330671.tif 000002
【特許請求の範囲】
【請求項１】
ＡＴＭ・ＣＤ等の自動機を設置した屋外無人ブース周辺の地中に、任意の形状の柱を埋め、さらに、ジョイント材により、他の柱をジョイントすることで、屋外無人ブースの周囲を囲う構造のセキュリティガードシステム。
【請求項２】
柱、ジョイント材の形状は任意であるが、種類を限定することにより、運搬と組立ての効率を向上した請求項１のセキュリティガードシステム。
【請求項３】
ジョイントの方向やジョイント数を変えることで、任意の形状とすることができる請求項１のセキュリティガードシステム。
【請求項４】
柱、ジョイント部に任意の形状の補強パネルを取付けることで、重機等からの破壊行為に対して、耐久性を向上させた請求項１のセキュリティガードシステム。
【請求項５】
地中に埋める柱は、地中から抜けにくい形状とし、さらに、その形状が地上から容易に想定できる請求項１のセキュリティガードシステム。
【発明の詳細な説明】
【技術分野】
【０００１】
本発明は、ＡＴＭ、ＣＤ等の自動機の設置を目的とする屋外無人ブースのセキュリティに関するものであり。屋外無人ブースの耐久性を向上するセキュリティガードシステムに関するものである。
【背景技術】
【０００２】
近年、ＡＴＭ・ＣＤ等の自動機を設置した屋外無人ブースに対する犯罪が急増しており、犯罪の手口は、当初バールやドリルなどの工具でブースや自動機等を破壊するものであったが、短時間で確実に犯行を行うため、ブルドーザー等の重機でブースを一気に破壊し、自動機ごと強奪する大掛かりなものにエスカレートしてきている。一方、屋外無人ブースの防犯対策は警備会社によるものがほとんどで、入口扉等の開閉部にタイマー制御や遠隔制御で施錠・開錠できる錠前を設置し、監視カメラ、人体検知器、衝撃検知器、扉の開閉検知器等の各種検知器、警備会社への通報装置等の各種防犯機器を設置し、警備会社は通報装置からの通報で現場に急行し、犯罪を発見した場合、警察に通報する方式であり、ブルドーザー等の攻撃に対応したものではない。現状の屋外無人ブースの耐久性はブース設置機関毎に異なり、コスト重視で設置したため、防犯の観点から耐久性が全く期待できないものも少なく無い。このため、屋外無人ブースに耐久性を重視した防犯対策が新たに必要となってきた。
【発明の開示】
【発明が解決しようとする課題】
【０００３】
本発明は、ＡＴＭ・ＣＤ等の自動機を設置した屋外無人ブースの犯罪被害の状況を考慮し、屋外無人ブースの耐久性を向上し、ブルドーザー等の重機による破壊行為を困難とすることで、犯罪を減少することをその目的とし、以下の課題を解決するものである。
（１）ブース仕様を変更せず耐久性を向上する。
【０００４】
屋外無人ブースの仕様を変更する場合、警備会社その他関係者との打合せにより、責任範囲、作業範囲を決める必要がある。しかし、関係者の多くは実績のある仕様を変更することを快く思わない場合が多く、話し合いが難航した場合、防犯対応が長期化する可能性がある。特に既設ブースの対策となると、ブースを改造する必要があるため、関係者の理解を得ることは非常に困難である。また、ブース仕様はブースの設置機関毎に異なるため、設置機関毎の個別対応となってしまう。このためブース仕様を変更せず耐久性を向上することが必要である。
（２）作業効率を向上する。
【０００５】
現場作業を実施する場合、工場作業に比べ作業効率が悪いため費用は割高となる。また、既設ブースへの対策の場合、工事期間中ブース運営ができないため、工事の長期化は避けるべきである。このため作業効率を向上する必要がある。
（３）ブースの形状、設置環境に柔軟に対応する。
【０００６】
屋外無人ブースの形状はシンプルな６面体構造から、ブース上部に看板を乗せた物や奇抜な形のものまであり、大きさも様々である。設置環境についても周辺に障害物の無い場所に設置する場合から、塀や民家、ビルが隣接する狭隘な場所に設置する場合まである。このためブースの形状、設置環境の制限を受けず、耐久性を向上する必要がある。
（４）防犯のレベルを変えられる。
【０００７】
屋外無人ブースの設置場所により治安状況は異なる。特に人通りの少ない場所、周辺に民家の無い場所などは治安が悪く犯罪の被害に遭いやすい。このため、治安状況に合わせて防犯のレベルを変えられるようにすることで、コストを抑えた効率的な防犯対策を実現する。
（５）犯罪の抑止効果を持つ。
【０００８】
屋外無人ブースを破壊された場合、修復費用とブースの運営中止による営業的損失、さらに、社会的信用の失墜等 被害は大きい。よって犯罪の抑止効果を持たせることが必要である。
【課題を解決するための手段】
【０００９】
（１）任意の形状・本数の柱を屋外無人ブースの周囲の地中に埋め、その柱に対しジョイント方式により、他の柱を繋ぎ合わせていくことで、ブースの周囲を囲う。
（２）柱、ジョイント部の形状は任意とするが、種類を限定する。
（３）ジョイントの方向やジョイント数を変えることができる。
（４）柱、ジョイント部は任意の形状の補強パネル等を追加できる。
（５）地中に埋める柱は、地中から抜けにくい形状とし、さらに、その形状が地上から容易に想定できるようにする。
【発明の効果】
【００１０】
任意の形状の柱をＡＴＭ・ＣＤ等の自動機を設置した屋外無人ブース周辺の地中に埋め、その柱に対し、ジョイント方式により他の柱を繋ぎ合わせることでブースの周囲を囲う。これにより、屋外無人ブースに手を加えずブースのセキュリティを強化することができる。
【００１１】
柱、ジョイント部の形状は任意とするが、種類を限定することで、搬入経路が狭い場合や材料の仮置き場が少ない場合でも搬入が容易に行え、設置作業も迅速かつ効率良く行える。
【００１２】
ジョイントの方向やジョイント数を変えられることで、屋外無人ブースの形状や設置場所等に合わせた形状とすることができる。
【００１３】
柱、ジョイント部は任意の形状の補強パネル等を追加できる形状とすることで、耐久性を変えられるものとする。人通りの少ない場所、周辺に民家の無い場所などは、さらに防犯を強化するために補強パネルを取付けることができる。これにより、必要最小限の費用で必要な防犯レベルをブースに持たせることができる。
【００１４】
地中に埋める柱は、地中から抜けにくい形状とし、さらに、その形状が地上から容易に想定できるようにすることで、前述の構造物は、破壊が困難であることを犯罪者に認識させるものとする。
【００１５】
屋外ブースの周囲を堅牢な構造物で囲い、誰の目から見ても防犯が強化されたことを認識できる。
【発明を実施するための最良の形態】
【００１６】
本発明の実施の形態について、図によって説明する。
【００１７】
図１は、本発明によるセキュリティガードシステムの実施例（１）。
【００１８】
図２は、本発明によるセキュリティガードシステムの実施例（２）。
【００１９】
図３は、本発明によるセキュリティガードシステムの実施例（３）。
【００２０】
図４は、ジョイント材と柱の結合方法の実施例（１）。
【００２１】
図５は、ジョイント材と柱の結合方法の実施例（２）。
【００２２】
図６は、柱の地面への固定方法の実施例。
【００２３】
図７は、ジョイント材と補強パネルの結合方法の実施例（１）。
【００２４】
図８は、ジョイント材と補強パネルの結合方法の実施例（２）。
【００２５】
図９は、本発明によるセキュリティガードシステムの実施例（４）補強パネル取付け前。
【００２６】
図１０は、本発明によるセキュリティガードシステムの実施例（５）補強パネル取付け後。
【００２７】
図１１は、地中に埋込む柱の形状の実施例（１）。
【００２８】
図１２は、地中に埋込む柱の形状の実施例（２）。
（１）図１に示すセキュリティガードシステムでは、屋外無人ブース１の周囲の地中に柱２ａを埋設し（点線部が埋設部）、ジョイント材３ａにより、柱２ｂ、２ｃ（コーナー用）を結合し、屋外無人ブース１の周囲をガードしている。柱２ａを地中に埋設する場合、柱の径以上の穴を掘削し、コンクリート等の硬化剤を流し込んだ状態で柱を埋め込む。前述の硬化剤は硬化後、柱２ａの基礎４となる。
（２）図４においてジョイント材と柱の結合方法の実施例を示す。ジョイント材３ａの接合面３ｃと、柱２ｂの接合面２ｄを突き合わせ、あらかじめ接合面に空けておいた穴を使いボルト６ａとナット６ｂで結合する。ジョイント材の接合面３ｃは、ジョイントの自由度を増やすため、最大６方向（前後、左右、上下）に設けることが可能である。また、図５に示すように、ジョイント材または柱の接合面にボルトをあらかじめ溶接等により取り付けておいても良い。図５はジョイント材に、ボルトを溶接した場合の図。
（３）柱２ａを地中に埋設することが困難な場合、図１、図５に示すように柱２ｂを自立させアンカー６ｃを使い地面に固定することも可能とする。
（４）柱２とジョイント材３は製作、運搬、設置作業を考慮し、種類を少なくすることが望ましい。図２に示すセキュリティガードシステムでは、ジョイント材３ａ、３ｂ（コーナー用）により、柱２ａを結合し、屋外無人ブース１の周囲をガードしている。但し、柱２ｂは、縦方向と横方向で寸法を変えることも可能である。
（５）図１、図２とも柱２、ジョイント材３はスチールと同等以上の強度をもち、形状は任意であるが、強度的に強く、それが広く認識されていることが望ましい。図１の場合はパイプ形、図２の場合はＨ形鋼としており、どちらも強度が強く、そのことが広く認識されているものである。
（６）図１のセキュリティガードは、屋外無人ブースの四方と上方を囲った構造であるが、ブースの構造やブースの設置環境により、形状を変えることができる。図２はブース正面の壁はガードをしていない構造であり。図３のように看板５がブース上方についている場合などは、ジョイントの調整により、高さを増やし、また、看板部分だけガードをしない構造とすることもできる。
（７）図９、１０において、補強パネル７a、７ｂを使い、セキュリティガードの耐久性を増強する方法について説明する。図９は補強パネル７a、７ｂの取付け前セキュリティガードシステムであり、ジョイント材３ａ、３ｂは接合面３ｃの一つが、補強パネル７の取付け用として外側を向いた状態なっている。次にこの接合面に対し、図７に示すように補強パネルを取り付ける。取り付け方については、図４，５において説明したジョイント材と柱の結合方法と同じ要領である。
【００２９】
また、柱にも接合部２ｄを設けることを可能とする。取り付け方については、こちらも図４、５において説明したジョイント材と柱の結合方法と同じ要領である。
（８）図１１、１２において柱２ａの埋設部分の形状について説明する。両図において、点線部分は埋設部分に相当する。図１１において柱２ａの埋設部の形状を横方向へ張り出しを持つ形状とすることで、柱２aの引抜きに対し抵抗を持たせた。この時、水平方向で同一ラインに張り出しが多いと、コンクリート等の硬化剤に柱２aを埋め込んだ時、柱２aの周りに硬化剤が回り込まない可能性があるため、図１１のようにらせん状にする等、同一ラインの張り出しを避ける。さらに、地上にもこの形状を露出させることで、地中の形状を犯罪者に認識させ、犯罪の抑止効果を持たせた。また、図１２においては、横への張り出しを一枚板とし、途中に穴を設けることで、突起物のイメージをソフトなものとし、穴を埋めたコンクリート等の硬化剤が、柱２aの引き抜きに対し抵抗を持たせるようにした。
【図面の簡単な説明】
【００３０】
【図１】本発明によるセキュリティガードシステムの実施例（１）。
【図２】本発明によるセキュリティガードシステムの実施例（２）。
【図３】本発明によるセキュリティガードシステムの実施例（３）。
【図４】ジョイント材と柱の結合方法の実施例（１）。
【図５】ジョイント材と柱の結合方法の実施例（２）。
【図６】柱の地面への固定方法の実施例。
【図７】ジョイント材と補強パネルの結合方法の実施例（１）。
【図８】ジョイント材と補強パネルの結合方法の実施例（２）。
【図９】本発明によるセキュリティガードシステムの実施例（４）補強パネル取付け前。
【図１０】本発明によるセキュリティガードシステムの実施例（５）補強パネル取付け後。
【図１１】地中に埋込む柱の形状の実施例（１）。
【図１２】地中に埋込む柱の形状の実施例（２）。
【符号の説明】
【００３１】
１…屋外無人ブース、２a…柱（埋設用）、２ｂ…柱、２ｃ…柱（コーナー用）、２ｄ…接合面、３a…ジョイント材、３ｂ…ジョイント材（コーナー用）、３ｃ…接合面、４…硬化剤（コンクリート等）、５…看板、６a…ボルト、６b…ナット、６c…アンカー、７a…補強パネル、７b…補強パネル（直角）。
【図１】
2005330671.tif 000003
【図２】
2005330671.tif 000004
【図３】
2005330671.tif 000005
【図４】
2005330671.tif 000006
【図５】
2005330671.tif 000007
【図６】
2005330671.tif 000008
【図７】
2005330671.tif 000009
【図８】
2005330671.tif 000010
【図９】
2005330671.tif 000011
【図１０】
2005330671.tif 000012
【図１１】
2005330671.tif 000013
【図１２】
2005330671.tif 000014